(57)【要約】【目的】金型の製作、成形、組み立てのコストを小さくすることができ、また、枠体の左部、右部が目頭や目尻のまつ毛のカールの妨げにならないまつ毛カール器を提供すること。【構成】この発明のまつ毛カール器は、持ち手の上方に設けた枠体の内側において上下動可能としたスライド体３を有し、スライド体３と枠体の上部との間にまつ毛を挟んでカールさせられるようにしたまつ毛カール器であって、スライド体３は、左右の各端部付近の後部側にフック３ｃ，３ｄを有しており、枠体の左部２ｃをスライド体３の左端部３ａと左側のフック３ｃとで挟むようにするとともに、枠体の右部２ｄをスライド体３の右端部３ｂと右側のフック３ｄとで挟むようにしている。【選択図】　図３
2004057580.tif 000002
【特許請求の範囲】
【請求項１】
持ち手（１）の上方に設けた枠体（２）の内側において上下動可能としたスライド体（３）を有し、スライド体（３）と枠体（２）の上部（２ａ）との間にまつ毛を挟んでカールさせられるようにしたまつ毛カール器であって、スライド体（３）は、左右の各端部付近の後部側にフック（３ｃ）（３ｄ）を有しており、枠体（２）の左部（２ｃ）をスライド体（３）の左端部（３ａ）と左側のフック（３ｃ）とで挟むようにするとともに、枠体（２）の右部（２ｄ）をスライド体（３）の右端部（３ｂ）と右側のフック（３ｄ）とで挟むようにしていることを特徴とするまつ毛カール器。
【請求項２】
スライド体（３）の左端部（３ａ）、右端部（３ｂ）が、それぞれ枠体（２）の左部（２ｃ）、右部（２ｄ）の前に位置する態様で、スライド体（３）が上下動可能としている請求項１記載のまつ毛カール器。
【請求項３】
操作体（４）は、その下端部が二股に分かれた形状とし、かつ、その下端の左右に軸部（１３）を有しており、前記下端部を左右の軸部（１３）間の距離が縮まるように変形させ、持ち手（１）に形成された凹部（５）の左右各側面に設けた穴（１６）に軸部（１３）を嵌め込むことにより、操作体（４）を持ち手（１）に取り付けている請求項１又は２記載のまつ毛カール器。
【発明の詳細な説明】
【０００１】
【発明の属する技術分野】
この発明は、まつ毛をカールさせるために使用するまつ毛カール器に関するものである。
【０００２】
【従来の技術】
従来より、図８、図９に示すような、持ち手１の上方に設けた枠体２の内側において上下動可能としたスライド体３を有し、スライド体３と枠体２の上部２ａとの間にまつ毛を挟んでカールさせられるようにしたまつ毛カール器が使用されている。
【０００３】
従来のこの種のまつ毛カール器は、枠体２の左部２ｃと右部２ｄの内側に縦方向の溝１９を有しており、この溝１９にスライド体３の左端部３ａ、右端部３ｂが嵌り、摺動自在となるようにしている。
【０００４】
このまつ毛カール器では、枠体２をそれぞれ前側と後側の２つの部品Ａ・Ｂからなるものとしており、枠体２にスライド体３を取り付ける際には、分離した状態の部品Ａ・Ｂの間にスライド体３の左端部３ａ、右端部３ｂを挟んでから、両部品Ａ・Ｂを溶着する。
【０００５】
また、持ち手１も、枠体２と同様に、前側と後側の２つの部品Ｃ・Ｄからなるものとしており、持ち手１に操作体４を取り付ける際には、分離した状態の部品Ｅ・Ｆの間に操作体４の下端部を挟んでから、両部品Ｃ・Ｄを溶着する。
【０００６】
しかし、このような構造では、金型の製作、成形、組み立てのコストが大きく、また、スライド体３の左端部３ａ、右端部３ｂが溝１９に嵌っているため、枠体２の左部２ｃ、右部２ｄが前方に突出し、目頭や目尻のまつ毛のカールの妨げになっていた。
【０００７】
【発明が解決しようとする課題】
そこで、この発明は、金型の製作、成形、組み立てのコストを小さくすることができ、また、枠体の左部、右部が目頭や目尻のまつ毛のカールの妨げにならないまつ毛カール器を提供することを課題とする。
【０００８】
【課題を解決するための手段】
前記課題を解決するため、この発明は次のような技術的手段を講じている。
【０００９】
この発明のまつ毛カール器は、持ち手１の上方に設けた枠体２の内側において上下動可能としたスライド体３を有し、スライド体３と枠体２の上部２ａとの間にまつ毛を挟んでカールさせられるようにしたまつ毛カール器であって、スライド体３は、左右の各端部付近の後部側にフック３ｃ，３ｄを有しており、枠体２の左部２ｃをスライド体３の左端部３ａと左側のフック３ｃとで挟むようにするとともに、枠体２の右部２ｄをスライド体３の右端部３ｂと右側のフック３ｄとで挟むようにしている。
【００１０】
また、スライド体３の左端部３ａ、右端部３ｂが、それぞれ枠体２の左部２ｃ、右部２ｄの前に位置する態様で、スライド体３が上下動可能としたものとすることができる。
【００１１】
さらに、操作体４は、その下端部が二股に分かれた形状とし、かつ、その下端の左右に軸部１３を有しており、前記下端部を左右の軸部１３間の距離が縮まるように変形させ、持ち手１に形成された凹部５の左右各側面に設けた穴１６に軸部１３を嵌め込むことにより、操作体４を持ち手１に取り付けたものとすることができる。
【００１２】
【発明の実施の態様】
以下、この発明の実施の形態を図面を参照して説明する。
【００１３】
この発明のまつ毛カール器は、持ち手１の上方に設けた枠体２の内側において上下動可能としたスライド体３を有し、スライド体３と枠体２の上部２ａとの間にまつ毛を挟んでカールさせられるようにしたまつ毛カール器であって、スライド体３は、左右の各端部付近の後部側にフック３ｃ，３ｄを有しており、枠体２の左部２ｃをスライド体３の左端部３ａと左側のフック３ｃとで挟むようにするとともに、枠体２の右部２ｄをスライド体３の右端部３ｂと右側のフック３ｄとで挟むようにしたものである。
【００１４】
図１は、この発明のまつ毛カール器の斜視図、図２は、持ち手１を展開したときの縦断面図、図３は、枠体２の上部２ａの下で横方向に切断した場合の断面図、図４は、スライド体３と操作体４で、スライド体３の弾性部材１１を取り外した場合の上面図、図５は、同側面図、図６は、同正面図、図７は、持ち手１にスライド体３を取り付ける様子を、持ち手１の下部１ｂを取り外した状態で上部１ａの下端付近で横方向に切断して示す説明図である。
【００１５】
このまつ毛カール器は、主としてプラスチック製の部品で構成されているが、他の素材からなる部品で構成することもできる。
【００１６】
持ち手１は、回動可能に連結された上部１ａと下部１ｂからなる折り畳み可能なものとしている。持ち手１は、その上部１ａの前側に操作体４を収容するための凹部５が形成されている、この凹部５には、持ち手１を折り畳んだときに操作体４の大部分が収容されるようになっている。
【００１７】
枠体２は、上部２ａ、下部２ｂ、左部２ｃ、及び右部２ｄからなる四角形状で、持ち手１と一体成形したものとすることができる。枠体２の上部２ａと下部２ｂは後方に湾曲しており、左部２ｃと右部２ｄは、ほぼ直線状となっている。
【００１８】
スライド体３は、前記枠体２の上部２ａ及び下部２ｂと同様に後方に湾曲した横長の片で、その上端部に形成された溝１０にシリコンゴム等の弾性部材１１が取り付けられている。なお、持ち手１の下部１ｂに設けられた弾性部材１１と同形状の溝に、取替え用の弾性部材１１´が備えられている。
【００１９】
スライド体３は弾性を有しており、両側から力を加えてより大きく湾曲させて枠体２にはめ込むことにより、枠体２の左部２ｃをスライド体３の左端部３ａと左側のフック３ｃとで挟むようにするとともに、枠体２の右部２ｄをスライド体３の右端部３ｂと右側のフック３ｄとで挟んだ状態とすることができる。
【００２０】
また、このまつ毛カール器は、スライド体３を上下動させるための操作体４を有している。操作体４は、上端がスライド体３に取り付けられ、下端が持ち手１に取り付けられ、中間に折り曲げ部４ａが形成されており、前方に屈曲するように付勢されている。
【００２１】
操作体４は、スライド体３とで略Ｔ字状の形状を構成する。操作体４はスライド体３と一体成形したものとすることができる。操作体４の上端は、折り曲げ可能な薄肉部１２を介してスライド体３の中央部の下側に取り付けられており、操作体４の下端は、その左右に形成された軸部１３が、持ち手１の凹部５の下端付近の左右各側面に形成された穴１６に回動自在に嵌められることにより、持ち手１に取り付けられている。
【００２２】
操作体４の下端部は、切込み１７が形成され二股に分かれた形状となっており、図７に示したように、この下端部を左右の軸部１３間の距離が縮まるように変形させ、持ち手１の上部１ａの凹部５に押し込み、前記穴１６に軸部１３を嵌め込むことにより、操作体４を持ち手１に取り付けることができる。
【００２３】
前記凹部５の左右各側面には、前側から穴１６に至る傾斜面１８が形成されている。この傾斜面１８は、穴１６に近づくにつれ浅くなるようにしており、左右の軸部１３を、傾斜面１８上を滑らせながら穴１６に向かって押し込んでいくと、左右の軸部１３間の距離が徐々に縮まり、軸部１３が穴１６に達すると、操作体４の下端部が元の状態に復帰して、穴１６に軸部１３が嵌まった状態となるため、極めて容易に操作体４を持ち手１に取り付けることができる。
【００２４】
折り曲げ部４ａは、操作体４のほぼ中央に形成された薄肉部分としている。操作体４は、その折り曲げ部４ａが付勢部材１４によって前方に屈曲するように付勢されている。付勢部材１４は、金属製のコイルバネとしており、その一端が操作体４の折り曲げ部４ａのすぐ下の押圧部４ｂの後側に固定され、その他端が持ち手１の上部２ａの凹部５の底に固定されている。
【００２５】
操作体４において、折り曲げ部４ａのすぐ下には、前側に指によくフィットする凹みを有する押圧部４ｂが形成されており、使用者はこの押圧部４ｂを指で押して折り曲げ部４ａの角度を広げ、操作体４をひしゃげさせることにより、スライド体３を上昇させることができ、押圧部４ｂから指を離し、操作体４を元の屈曲した状態に復帰させることにより、スライド体３を下降させることができる。
【００２６】
以上の通り、このまつ毛カール器は、枠体２の左部２ｃをスライド体３の左端部３ａと左側のフック３ｃとで挟むようにするとともに、枠体２の右部２ｄをスライド体３の右端部３ｂと右側のフック３ｄとで挟むようにした構成としているので、枠体２の左部２ｃ、右部２ｄをそれぞれ前側と後側の２つの部品を溶着してなるものとする必要が無いため、金型の作製や、成形、組み立てにかかるコストが小さくてすむ。
【００２７】
しかも、スライド体３の左端部３ａ、右端部３ｂが、それぞれ枠体２の左部２ｃ、右部２ｄの前に位置する態様で、上下動可能となっているため、枠体２の左部２ｃ、右部２ｄが前方に突出して目頭や目尻のまつ毛のカールの妨げになることもない。
【００２８】
また、操作体４の下端部が二股に分かれた形状とし、かつ、その下端の左右に軸部１３を有しており、前記下端部を左右の軸部１３間の距離が縮まるように変形させ、持ち手１に形成された凹部５の左右各側面に設けた穴１６に軸部１３を嵌め込むことにより、操作体４を持ち手１に取り付けた構成とすることによっても、持ち手１を前側と後側の２つの部品を溶着してなるものとする必要が無く、金型の作製や、成形、組み立てにかかるコストが小さくてすむ。
【００２９】
【発明の効果】
この発明のまつ毛カール器は、上述のような構成を有しており、金型の製作、成形、組み立てのコストを小さくすることができ、また、枠体２の左部２ｃ、右部２ｄが目頭や目尻のまつ毛のカールの妨げにならない。
【図面の簡単な説明】
【図１】この発明の実施形態のまつ毛カール器の斜視図。
【図２】この発明の実施形態のまつ毛カール器の、持ち手を展開したときの縦断面図。
【図３】この発明の実施形態のまつ毛カール器の、枠体の上部の下で横方向に切断した場合の断面図。
【図４】この発明の実施形態のまつ毛カール器のスライド体と操作体で、スライド体の弾性部材を取り外した場合の上面図。
【図５】この発明の実施形態のまつ毛カール器のスライド体と操作体で、スライド体の弾性部材を取り外した場合の側面図。
【図６】
この発明の実施形態のまつ毛カール器のスライド体と操作体で、スライド体の弾性部材を取り外した場合の正面図。
【図７】この発明の実施形態のまつ毛カール器で、持ち手にスライド体を取り付ける様子を、持ち手の下部を取り外した状態で上部の下端付近で横方向に切断して示す説明図。
【図８】従来のまつ毛カール器の斜視図。
【図９】従来のまつ毛カール器の、枠体の上部の下で横方向に切断した場合の断面図。
【符号の説明】
１　持ち手
２　枠体
３　スライド体
３ｃ，３ｄ　フック
４　操作体
５　凹部
１３　軸部
１６　穴
【図１】
2004057580.tif 000003
【図２】
2004057580.tif 000004
【図３】
2004057580.tif 000005
【図４】
2004057580.tif 000006
【図５】
2004057580.tif 000007
【図６】
2004057580.tif 000008
【図７】
2004057580.tif 000009
【図８】
2004057580.tif 000010
【図９】
2004057580.tif 000011